(57)【特許請求の範囲】
【請求項１】
密着型イメージセンサと背面板との間を通過する原稿から画像を読み取る画像読取装置において、
上記背面板を上記密着型イメージセンサの主走査方向に分割したことを特徴とする画像読取装置。
【請求項２】
上記背面板の白色をシェーディング補正の基準とするシェーディング補正手段を設ける一方、上記シェーディング補正手段は、上記密着型イメージセンサによって読み取られた読取データの内、上記背面板の切断部分に周辺の白色部分の読取データを内挿することを特徴とする請求項１記載の画像読取装置。
【請求項３】
上記密着型イメージセンサによって読み取られた読取データの内、上記背面板の切断部分以外の部分の読取データが背面板の白色を表すとき、その切断部分に周辺の白色部分の読取データ又は白色を表すデータを内挿する補正手段を設けたことを特徴とする請求項１記載の画像読取装置。
【請求項４】
密着型イメージセンサと背面板との間を通過する原稿から画像を読み取る画像読取装置において、
上記背面板をフレキシブルな素材で形成して主走査方向にフレキシブルとし、このフレキシブル背面板に平均的に圧力をかけて密着型イメージセンサに圧接させる主走査方向に分割された圧接手段を設けたことを特徴とする画像読取装置。
【発明の詳細な説明】
【０００１】
【発明の属する技術分野】
本発明は、密着型イメージセンサ（Ｃｏｎｔａｃｔ  Ｉｍａｇｅ  Ｓｅｎｓｏｒ／以下、ＣＩＳと称す）を用いた画像読取装置に関する。
【０００２】
【従来の技術】
従来より、ＣＩＳを用いた画像読取装置としては、ＣＩＳに対向配置される背面部材として、白色の背面ローラを用いる方式と、白色の背面板を用いる方式とがあり、そのＣＩＳと背面部材との間を原稿が通過するよう構成されていた。
【０００３】
そして、背面部材として白色の背面ローラを用いる方式では、図７及び図８に示されるように、原稿は、図示していない積層された原稿スタッカから一枚ずつ給紙する給紙装置により給紙され、給紙部２３から搬送ローラ２４及び原稿ガイド２５を通ってＣＩＳ２２と背面ローラ２１からなる読取部に送られ、図示しない駆動機構で背面ローラ駆動軸２１ａを回転させることによって原稿を走行させる回転が与えられ、その後、読取部を出た原稿は、原稿ガイド２７で導かれ、排出ローラ２６で図示されていない原稿スタッカに排出されるようになっており、又平面部材として白色の背面板を用いる方式では、図９及び図１０に示されるように、原稿は、図示していない積層された原稿スタッカから一枚ずつ給紙する給紙装置により給紙され、給紙部２３から搬送ローラ２４及び原稿ガイド２５を通ってＣＩＳ２２と背面板３１からなる読取部に送られ、読取部を出た原稿は、原稿ガイド２７で導かれ、排出ローラ２６で図示されていない原稿スタッカに排出されるようになっていた。
【０００４】
そして、読取部を構成するＣＩＳ２２は、読取面のガラス板２２ａ、ＬＥＤアレイやＥＬ等の発光素子２２ｂ、結像した画像を光電変換するセンサーアレイ２２ｃ、原稿からの反射光をイメージセンサアレイ２２ｃに結像するロッドレンズアレイ２２ｄ等から構成され、外光による不必要なセンサ出力を防止すると共に、埃の侵入による黒筋等の致命的な画質不良を防止するために完全に密閉されており、読取面のガラス板２２ａとその上に配置された背面ローラ２１又は背面板３１との間を原稿が読み取られる面を下にして通過し、原稿がＣＩＳ２２のガラス板２２ａの上を通過したとき、ＣＩＳＳ２が主走査方向（原稿走行方向に対し直角の方向）を一度に読み取り、原稿がＣＩＳ上を通過し終えたとき、その間の原稿が全て読み取られるようになっており、又背面ローラ２１及び背面板３１は、白色、あるいは白色に近い淡色の素材で作られ、原稿から外れた前後左右の部分を白色に読み取らせると共に、この背面ローラの反射光を、原稿の反射光の濃度の判定の基準とするシェーディング補正の基準明度としていた。
【０００５】
【発明が解決しようとする課題】
ところが、上記従来装置のように、背面部材として白色背面ローラを用いた場合には、画像読取装置の読取速度が向上するにつれて、ＣＩＳの読取面のガラス部材と背面ローラとに摩擦負荷が問題となると共に、製造コストが高くなるといった問題点があり、又背面部材として背面板を用いた場合には、製造コストを抑えることができるものの、ＣＩＳの反りのばらつきや環境変化による反りの変化によって背面板とＣＩＳの間に隙間が生じると共に、背面板とＣＩＳとの間に間隙を設ける必要があり、且つＣＩＳの焦点深度が小さいため、画像の焦点が合わず焦点ボケが生じるといった問題点があった。
【０００６】
本発明は、焦点ボケを抑制しつつ、低コストで製造可能な画像読取装置を提供することを目的とするものである。
【０００７】
【課題を解決するための手段】
上記目的を達成するために、本発明は、密着型イメージセンサと背面板との間を通過する原稿から画像を読み取る画像読取装置において、上記背面板を上記密着型イメージセンサの主走査方向に分割する構成としたものである。
【０００８】
従って、本発明によれば、密着型イメージセンサに対向配置される背面板を、当該密着型イメージセンサの主走査方向に分割することにより、密着型イメージセンサの反りのばらつきや環境変化による処理の変化によって生じる隙間を抑制することができる。
【００１３】
又、本発明は、上述の構成に加え、上記背面板の白色をシェーディング補正の基準とするシェーディング補正手段を設ける一方、上記シェーディング補正手段が、上記密着型イメージセンサによって読み取られた読取データの内、上記背面板の切断部分に周辺の白色部分の読取データを内挿する構成としたものである。
【００１４】
従って、本発明によれば、背面板の白色をシェーディング補正の基準とするシェーディング補正手段が、密着型イメージセンサによって読み取られた読取データの内、背面板の切断部分に周辺の白色部分の読取データを内挿することにより、背面板の切断部分がシェーディング補正に影響を与えないようにすることができる。
【００１５】
更に、本発明は、上述の構成に加え、上記密着型イメージセンサによって読み取られた読取データの内、上記背面板の切断部分以外の部分の読取データが背面板の白色を表わすとき、その切断部分に周辺の白色部分の読取データ又は白色を表わすデータを内挿する補正手段を設けたものである。
【００１６】
従って、本発明によれば、密着型イメージセンサによって読み取られた読取データの内、背面板の切断部分以外の部分の読取データが背面板の白色を表わすとき、補正手段がその切断部分に周辺の白色部分の読取データ又は白色を表わすデータを内挿することにより、背面板の切断部分が画像読取に影響を与えないようにすることができる。
更に、本発明は、密着型イメージセンサと背面板との間を通過する原稿から画像を読み取る画像読取装置において、
上記背面板をフレキシブルな素材で形成して主走査方向にフレキシブルとし、このフレキシブル背面板に平均的に圧力をかけて密着型イメージセンサに圧接させる主走査方向に分割された圧接手段を設けたものである。
従って、本発明によれば、密着型イメージセンサに対向配置される背面板を、フレキシブルな素材によって形成することにより、密着型イメージセンサの反りのばらつきや環境変化による処理の変化によって生じる隙間を抑制することができる。また、圧接センサによってフレキシブルな背面板を密着型イメージセンサに主走査方向に分割された圧接手段によって押圧して圧接することにより、密着型イメージセンサの反りのばらつきや環境変化による処理の変化によって生じる隙間をより一層抑制することができる。
【００１７】
【発明の実施の形態】
本発明の実施の形態を図面を参照して詳細に説明する。
【００１８】
図１は本発明の一実施の形態である画像読取装置の読取部の構成を示す断面斜視図、図２は同画像読取装置の読取部の構成を示す正面断面図、図３は同画像読取装置の概略構成を示す説明図、図４は同画像読取装置の読取部と従来の画像読取装置の読取部の反り発生時の構成を示す正面断面図、図５は同画像読取装置における画像読取時の動作制御を示すフローチャート、図６は本発明の他の実施の形態である画像読取装置の読取部の構成を示す正面断面図である。
【００１９】
以下、本発明の一実施の形態である原稿読取装置を図１乃至図５に基づいて説明する。尚、図１において図と共通する部分には共通の符号を付し、その説明については省略する。
【００２０】
図１乃至図３において、１はＣＩＳ２２の主走査方向（原稿の移動方向と直角）に２分割された２分割背面板であり、ＣＩＳ２２を構成する読取面のガラス板２２ａの上に対向配置されている。２は２分割背面板１を覆う背面板ホルダであり、２分割背面板１の切断部に突起２ａが形成されると共に、外周縁に２分割背面板１の移動を制限する爪２ｂが形成されている。３は分割背面板１に平均的に圧力をかける圧接手段である押えバネであり、２分割背面板１と背面板ホルダ２との間に設けられている。
【００２１】
尚、この背面板ホルダ２の爪２ｂと押えバネ３との働きによって、最も薄い原稿も通過し、最も剛性の強い原稿でもＣＩＳ２２に接触させる適当な圧力を選択することができると共に、特別に剛性の強い原稿が場合における背面板の移動を制限することができるようになっている。
【００２２】
そして、上記のように構成された画像読取装置によれば、ＣＩＳ２２が反りのために中央が上方に凸の状態で湾曲した場合であって、ＣＩＳ２２と背面板とが中央で接触しているとき、従来の一体型背面板３１では、図４（ａ）に示されるように、背面板両端でＣＩＳ２２と一体型背面板３１との間に大きな空隙が発生するが、上記の２分割背面板１では、図４（ｂ）に示されるように、各背面板がそれぞれの背面板の中央でＣＩＳ２２と接触している状態を想定したとき、背面板の浮きを略１／４に減少することができ、又ＣＩＳ２２が反りのために中央が上方に凸の状態で湾曲した場合であって、ＣＩＳ２２と背面板とが端部で接触しているとき、従来の一体型背面板３１では、図４（ｃ）に示されるように、背面板の一端でＣＩＳ２２と一体型背面板３１との間に大きな空隙が発生するが、上記の２分割背面板１では、図４（ｄ）に示されるように、背面板の浮きを略１／４に減少することができ、更にＣＩＳ２２が反りのために中央が凹の状態で湾曲した場合、従来の一体型背面板３１では、図４（ｅ）に示されるように、背面板の中央付近でＣＩＳ２２と一体型背面板３１との間に大きな空隙が発生するが、上記の２分割背面板１では、図４（ｆ）に示されるように、背面板の浮きを略１／４に減少することができる。
【００２３】
従って、背面板を主走査方向で複数個に分割することにより、原稿の浮きを大幅に減少することができるため、読取画像の焦点のボケを抑制することができる。
【００２４】
次に、上記のように構成された画像読取装置について、分割背面板１を用いてシェーディングを補正するときの動作を説明する。
【００２５】
分割背面板１を用いてシェーディングを補正する場合、分割背面板１の切断部が黒線等となり正確な基準データとはならないため、その補正の方法としては、シェーディング基準波形を分割部分以外の正常に読取る部分の波形を内挿することで、基準波形を作成する。ＣＩＳ２２を用いた読取では、ロッドレンズのピッチで基準波形は波打つため、これを計算に入れ、例えば、波打の底辺を延長して、内挿の原波形を作成し、それにロッドレンズの波打ちの波形を重畳することで、最終的な、シェーディング基準波形を容易に作成することができる。
【００２６】
次に、上記のように構成された画像読取装置について、分割背面板１の切断部分が原稿の先端、後端を外れた部分で切断部分を黒線として読取ることを補正するときの動作を図５に示すフローチャートに基づいて説明する。
【００２７】
読取をスタートＳ１すると、１ライン読取Ｓ２毎に、分割部以外の黒ピクセルの数を集計Ｓ３する。この数が規定数以下であれば、判断Ｓ４がＮＯとなり原稿の先端前、又は後端以後と判断し、分割部分が黒と読まれても、Ｓ６で白色に変更して次のラインＳ２に移る。判断Ｓ４がＹＥＳとなると、Ｓ５で原稿を読取っていると判断し、読み取った画像をそのまま次の処理に回す。同様に、原稿の終端以後でも判断Ｓ４がＮＯとなり、Ｓ６で分割背面板の分割部分の黒ピクセルを白に入れ替える。読取ラインが残っている間、判断Ｓ７はＮＯとなり、次のラインを読みにＳ２に戻り、読取ラインが修了すれば、判断７がＹＥＳとなり、読取修了Ｓ８となることにより、原稿の先端、後端を外れた部分で分割背面板１の切断部分を黒線として読み取ってしまうことを防止することができる。
【００２８】
尚、上記動作制御は最も簡単な方法を示しており、例えば、他の情報を加味し、原稿先端と後端を別のルーチンで判断すると、より精度の良い補正が可能となる。
【００２９】
又、上記実施の形態では、ＣＩＳ２２の主走査方向（原稿の移動方向と直角）に２分割した２分割背面板を用いた場合について説明したが、これに限定されるものではなく、２分割以上に分割するようにしても良く、分割の個数が多い程、ＣＩＳ２２との間隙は少なくなるが、その分各間隙によって生じる読取黒線の補正が複雑になる。
【００３０】
更に、上記実施の形態では、背面板を分割した場合について説明したが、これに限定されるものではなく、図６に示すように、背面板を分割する代わりに、フレキシブル材料で形成した背面板１１でＣＩＳ２２に添わせることで、焦点ボケを防止するようにしても良く、このとき、上記実施の形態と同様に、フレキシブル背面板１１をＣＩＳ２２に圧接するようにしても良く、このようなフレキシブル背面板１１を用いた場合には、上記実施の形態のような、シェーディング補正の修正や画像読取の補正を行う必要がなく、より一層のコスト低減を図ることができる。
【００３１】
【発明の効果】
以上のように、本発明によれば、密着型イメージセンサに対向配置される背面板を、当該密着型イメージセンサの主走査方向に分割することにより、密着型イメージセンサの反りのばらつきや環境変化による処理の変化によって生じる隙間を抑制することができるため、製造コストを抑えつつ、焦点ボケの発生を抑制することができる。
【００３４】
又、本発明によれば、背面板の白色をシェーディング補正の基準とするシェーディング補正手段が、密着型イメージセンサによって読み取られた読取データの内、背面板の切断部分に周辺の白色部分の読取データを内挿することにより、背面板の切断部分がシェーディング補正に影響を与えないようにすることができるため、背面板を分割した場合においても、その背面板を用いたシェーディング補正を正確に行うことができる。
【００３５】
更に、本発明によれば、密着型イメージセンサによって読み取られた読取データの内、背面板の切断部分以外の部分の読取データが背面板の白色を表わすとき、補正手段がその切断部分に周辺の白色部分の読取データ又は白色を表わすデータを内挿することにより、背面板の切断部分が画像読取に影響を与えないようにすることができるため、背面板を分割した場合においても、その背面板による黒線の発生を防止することができる。
更に、本発明によれば、密着型イメージセンサに対向配置される背面板を、主走査方向にフレキシブルな素材によって形成するとともに、主走査方向に分割した圧接手段によって押圧されるので、密着型イメージセンサの反りのばらつきや環境変化による処理の変化によって生じる隙間をより一層抑制することができるため、焦点ボケの発生をより一層抑制することができる。
【図面の簡単な説明】
【図１】本発明の一実施の形態である画像読取装置の読取部の構成を示す断面斜視図である。
【図２】同画像読取装置の読取部の構成を示す正面断面図である。
【図３】同画像読取装置の概略構成を示す説明図である。
【図４】同画像読取装置の読取部と従来の画像読取装置の読取部の反り発生時の構成を示す正面断面図である。
【図５】同画像読取装置における画像読取時の動作制御を示すフローチャートである。
【図６】本発明の他の実施の形態である画像読取装置の読取部の構成を示す正面断面図である。
【図７】従来例である画像読取装置の概略構成を示す説明図である。
【図８】同画像読取装置の読取部の構成を示す断面斜視図である。
【図９】従来例である画像読取装置の概略構成を示す説明図である。
【図１０】同画像読取装置の読取部の構成を示す断面斜視図である。
【符号の説明】
１    ２分割背面板
２    背面板ホルダ
３    押えバネ
１１    フレキシブル背面板
２２    ＣＩＳ（密着型イメージセンサ）
【図１】
0003548702.tif 000002
【図２】
0003548702.tif 000003
【図３】
0003548702.tif 000004
【図４】
0003548702.tif 000005
【図５】
0003548702.tif 000006
【図６】
0003548702.tif 000007
【図７】
0003548702.tif 000008
【図８】
0003548702.tif 000009
【図９】
0003548702.tif 000010
【図１０】
0003548702.tif 000011